【手続補正書】
【提出日】平成25年8月7日(2013.8.7)
【手続補正１】
【補正対象書類名】明細書
【補正対象項目名】００１０
【補正方法】変更
【補正の内容】
【００１０】
請求項１又は２に従属する発明として、
前記第１のデータをどのような内容の前記第２のデータに変換するかを示す変換内容をユーザ操作により任意に設定する設定手段をさらに備える
前記変換手段は、前記設定手段により設定された変換内容に基づいて、前記第１のデータを前記第２のデータに変換する、
ようにしたことを特徴とする、請求項３記載の発明であってもよい。
【手続補正２】
【補正対象書類名】明細書
【補正対象項目名】００１１
【補正方法】変更
【補正の内容】
【００１１】
請求項１〜３いずれかに従属する発明として、
前記所定の入力フィールドに対して設定されている規定を判別する第２の判別手段をさらに備え、
前記変換手段は、前記第２の判別手段によって判別された規定に基づいて、前記第１のデータを該文字種の第２のデータに変換する、
ようにしたことを特徴とする、請求項４記載の発明であってもよい。
【手続補正３】
【補正対象書類名】明細書
【補正対象項目名】００１２
【補正方法】変更
【補正の内容】
【００１２】
請求項１〜４いずれかに従属する発明として、
前記変換手段は、前記第１のデータを前記第２のデータに変換する場合に、文字種として全角の第１のデータを半角の第２のデータに変換又は半角の第１のデータを全角の第２のデータに変換する手段を含む、
ことを特徴とする、請求項５記載の発明であってもよい。
【手続補正４】
【補正対象書類名】明細書
【補正対象項目名】００１３
【補正方法】変更
【補正の内容】
【００１３】
請求項１〜５いずれかに従属する発明として、
前記変換手段は、前記第１のデータを前記第２のデータに変換する場合に、大文字／小文字の種別が異なる第２のデータに変換する手段を含む、
ことを特徴とする、請求項６記載の発明であってもよい。
【手続補正５】
【補正対象書類名】明細書
【補正対象項目名】００１４
【補正方法】変更
【補正の内容】
【００１４】
請求項１〜６いずれかに従属する発明として、
前記変換手段は、前記第１のデータを前記第２のデータに変換する場合に、前記第１のデータを構成する先頭文字の大文字／小文字の種別が異なる第２のデータに変換する手段を含む、
ことを特徴とする、請求項７記載の発明であってもよい。
【手続補正６】
【補正対象書類名】明細書
【補正対象項目名】００１５
【補正方法】変更
【補正の内容】
【００１５】
請求項１〜７いずれかに従属する発明として、
前記変換手段は、前記第１のデータを前記第２のデータに変換する場合に、文字の種類が異なる第２のデータに変換する手段を含む、
ことを特徴とする、請求項８記載の発明であってもよい。
【手続補正７】
【補正対象書類名】明細書
【補正対象項目名】００１６
【補正方法】変更
【補正の内容】
【００１６】
請求項１〜８いずれかに従属する発明として、
前記変換手段は、前記第１のデータを前記第２のデータに変換する場合に、言語の種類が異なる第２のデータに変換する手段を含む、
ことを特徴とする、請求項９記載の発明であってもよい。
【手続補正８】
【補正対象書類名】明細書
【補正対象項目名】００１７
【補正方法】変更
【補正の内容】
【００１７】
請求項１〜９いずれかに従属する発明として、
前記変換手段は、前記第１のデータを前記第２のデータに変換する場合に、文字と記号間の変換を行う手段を含む、
ことを特徴とする、請求項１０記載の発明であってもよい。
【手続補正９】
【補正対象書類名】明細書
【補正対象項目名】００１８
【補正方法】変更
【補正の内容】
【００１８】
請求項１〜１０いずれかに従属する発明として、
前記変換手段は、前記第１のデータを前記第２のデータに変換する場合に、前記第１のデータに付加されている特殊コードを削除することにより特殊コードを取り除いた第２のデータに変換する手段を含む、
ことを特徴とする、請求項１１記載の発明であってもよい。
【手続補正１０】
【補正対象書類名】明細書
【補正対象項目名】００１９
【補正方法】変更
【補正の内容】
【００１９】
請求項１〜１１いずれかに従属する発明として、
前記変換手段は、前記第１のデータを前記第２のデータに変換する場合に、前記第１のデータに特殊コードを付加することにより特殊コード付きの第２のデータに変換する手段を含む、
ことを特徴とする、請求項１２記載の発明であってもよい。
【手続補正１１】
【補正対象書類名】明細書
【補正対象項目名】００２０
【補正方法】変更
【補正の内容】
【００２０】
請求項１〜１２いずれかに従属する発明として、
前記複写手段によって複写された第１のデータをパターン認識するパターン認識手段をさらに備え、
前記変換手段は、前記パターン認識手段によって認識された第１のデータを第２のデータに変換する手段を含む、
ことを特徴とする、請求項１３記載の発明であってもよい。
【手続補正１２】
【補正対象書類名】明細書
【補正対象項目名】００２１
【補正方法】変更
【補正の内容】
【００２１】
請求項１〜１３いずれかに従属する発明として、
前記貼付手段が第２のデータを所定の入力フィールド内に貼り付けるに先立って、その第２のデータを入力候補として報知する報知手段をさらに備える、
ようにしたことを特徴とする、請求項１４記載の発明であってもよい。
【手続補正１３】
【補正対象書類名】明細書
【補正対象項目名】００２３
【補正方法】変更
【補正の内容】
【００２３】
請求項１４又は１５に従属する発明として、
前記報知手段による報知に応答して、別の入力候補への再変換が指示された場合に、前記変換手段は、前記第１のデータを前記第２のデータに再変換する、
ようにしたことを特徴とする、請求項１６記載の発明であってもよい。
【手続補正１４】
【補正対象書類名】特許請求の範囲
【補正対象項目名】全文
【補正方法】変更
【補正の内容】
【特許請求の範囲】
【請求項１】
所定の入力フィールド内にデータを入力するデータ入力装置であって、
第１のデータを複写する複写手段と、
前記複写手段によって複写された第１のデータを第２のデータに変換する変換手段と、
前記複写手段によって複写された第１のデータが所定の入力フィールドに移動された場合に、前記変換手段によって前記第１のデータを前記第２のデータに変換すると共に、変換した前記第２のデータを前記所定の入力フィールド内に貼り付ける貼付制御手段と、
を具備したことを特徴とするデータ入力装置。
【請求項２】
前記第１のデータを前記第２のデータに変換することを指示する所定のユーザ操作が行われたか否かを判別する第１の判別手段をさらに備え、
前記変換手段は、前記第１の判別手段によって所定のユーザ操作が行われたことが判別されたことを条件に前記第１のデータを前記第２のデータに変換する、
ようにしたことを特徴とする請求項１記載のデータ入力装置。
【請求項３】
前記第１のデータをどのような内容の前記第２のデータに変換するかを示す変換内容をユーザ操作により任意に設定する設定手段をさらに備える
前記変換手段は、前記設定手段により設定された変換内容に基づいて、前記第１のデータを前記第２のデータに変換する、
ようにしたことを特徴とする請求項１又は２記載のデータ入力装置。
【請求項４】
前記所定の入力フィールドに対して設定されている規定を判別する第２の判別手段をさらに備え、
前記変換手段は、前記第２の判別手段によって判別された規定に基づいて、前記第１のデータを該文字種の第２のデータに変換する、
ようにしたことを特徴とする請求項１〜３いずれか記載のデータ入力装置。
【請求項５】
前記変換手段は、前記第１のデータを前記第２のデータに変換する場合に、文字種として全角の第１のデータを半角の第２のデータに変換又は半角の第１のデータを全角の第２のデータに変換する手段を含む、
ことを特徴とする請求項１〜４いずれか記載のデータ入力装置。
【請求項６】
前記変換手段は、前記第１のデータを前記第２のデータに変換する場合に、大文字／小文字の種別が異なる第２のデータに変換する手段を含む、
ことを特徴とする請求項１〜５いずれか記載のデータ入力装置。
【請求項７】
前記変換手段は、前記第１のデータを前記第２のデータに変換する場合に、前記第１のデータを構成する先頭文字の大文字／小文字の種別が異なる第２のデータに変換する手段を含む、
ことを特徴とする請求項１〜６いずれか記載のデータ入力装置。
【請求項８】
前記変換手段は、前記第１のデータを前記第２のデータに変換する場合に、文字の種類が異なる第２のデータに変換する手段を含む、
ことを特徴とする請求項１〜７いずれか記載のデータ入力装置。
【請求項９】
前記変換手段は、前記第１のデータを前記第２のデータに変換する場合に、言語の種類が異なる第２のデータに変換する手段を含む、
ことを特徴とする請求項１〜８いずれか記載のデータ入力装置。
【請求項１０】
前記変換手段は、前記第１のデータを前記第２のデータに変換する場合に、文字と記号間の変換を行う手段を含む、
ことを特徴とする請求項１〜９いずれか記載のデータ入力装置。
【請求項１１】
前記変換手段は、前記第１のデータを前記第２のデータに変換する場合に、前記第１のデータに付加されている特殊コードを削除することにより特殊コードを取り除いた第２のデータに変換する手段を含む、
ことを特徴とする請求項１〜１０いずれか記載のデータ入力装置。
【請求項１２】
前記変換手段は、前記第１のデータを前記第２のデータに変換する場合に、前記第１のデータに特殊コードを付加することにより特殊コード付きの第２のデータに変換する手段を含む、
ことを特徴とする請求項１〜１１いずれか記載のデータ入力装置。
【請求項１３】
前記複写手段によって複写された第１のデータをパターン認識するパターン認識手段をさらに備え、
前記変換手段は、前記パターン認識手段によって認識された第１のデータを第２のデータに変換する手段を含む、
ことを特徴とする請求項１〜１２いずれか記載のデータ入力装置。
【請求項１４】
前記貼付手段が第２のデータを所定の入力フィールド内に貼り付けるに先立って、その第２のデータを入力候補として報知する報知手段をさらに備える、
ようにしたことを特徴とする請求項１〜１３いずれか記載のデータ入力装置。
【請求項１５】
前記報知手段による報知の実行有無をユーザ操作により任意に設定する設定手段をさらに備える、
ようにしたことを特徴とする請求項１４記載のデータ入力装置。
【請求項１６】
前記報知手段による報知に応答して、別の入力候補への再変換が指示された場合に、前記変換手段は、前記第１のデータを前記第２のデータに再変換する、
ようにしたことを特徴とする請求項１４又は１５記載のデータ入力装置。
【請求項１７】
コンピュータに対して、
所定の入力フィールド内にデータを入力するために第１のデータを複写する機能と、
前記複写された第１のデータを前記所定の入力フィールド内に貼り付ける場合に、当該第１のデータを第２のデータに変換する機能と、
前記変換された前記第２のデータを前記所定の入力フィールド内に貼り付ける機能と、
を実現させるためのプログラム。